(57)【要約】【課題】  曲面状の壁を施工する場合に、低コストで施工が行える壁の構造を提供する。【解決手段】  建物内において曲線である基準線７に沿った曲面状の壁面を成す壁であり、壁躯体と、壁躯体に対して固定した壁仕上げ材とを有する。壁躯体は、上下一対のランナーユニット３，４と、ランナーユニット３，４の間に立てて設けた複数のスタッド５とから成る。各ランナーユニット３，４は、基準線７に沿って多数のランナーピース６を連結することで形成される。各ランナーピース６は係止部６５，６６，６７を有し、各スタッド５は各係止部６５，６６，６７で係止されることで前後左右に動かなくなる形状である。【選択図】  図３
2011032699.tif 000002
【特許請求の範囲】
【請求項１】
建物内において曲線である基準線に沿った曲面状の壁面を成す壁であって、壁躯体と、壁躯体に対して固定した壁仕上げ材とを有しており、
壁躯体は、上下一対のランナーユニットと、ランナーユニットの間に立てて設けた複数のスタッドとから成り、
各ランナーユニットは、多数のランナーピースを前記基準線に沿って連結して成るものであることを特徴とする壁。
【請求項２】
前記各ランナーユニットは、前側のランナーピースの後端部に後ろ側のランナーピースの前端部を重ね合わせて連結したものであり、あるランナーピースは前後の両端部が上側に位置し、その後ろのランナーピースは前後の両端部が下側に位置しており、上下の位置が交互に入れ替わるようにして各ランナーピースが連結されていることを特徴とする請求項１記載の壁。
【請求項３】
前記下側のランナーユニットは、前側のランナーピースの後端部に後ろ側のランナーピースの前端部を重ね合わせて連結したものであり、重ね合わされた二つのランナーピースの固定と、それら二つのランナーピースの床基礎への固定が一つの釘打ちによって行われていることを特徴とする請求項１又は２記載の壁。
【請求項４】
前記ランナーピースは、前記スタッドを係止させる係止部を有することを特徴する請求項１乃至３いずれかに記載の壁。
【請求項５】
前記スタッドは、前記係止部において係止されることで前後左右に動かなくなる形状であることを特徴とする請求項４記載の壁。
【請求項６】
前記各ランナーユニットのランナーピースは、前記スタッドの端部からはみ出ない大きさ及び形状であることを特徴とする請求項１乃至５いずれかに記載の壁。
【請求項７】
前記下側のランナーユニットのランナーピースは、前記スタッドの下端部が上に載るとともに前記スタッドの下端部からはみ出ない大きさ及び形状であることを特徴とする請求項１乃至５いずれかに記載の壁。
【請求項８】
建物内において曲線である基準線に沿った曲面状の壁面を成す壁の施工方法であって、
基準線に沿って多数のランナーピースを並べて連結することで下側ランナーユニットを形成する工程と、
下側ランナーユニットを床基礎に固定する工程と、
下側ランナーユニットに複数のスタッドを間隔をおいて立てる工程と、
基準線に沿って多数のランナーピースを並べて連結することで上側ランナーユニットを形成する工程と、
上側ランナーユニットを各スタッドの上端に載せて壁躯体を形成すると、
形成された壁躯体の一方又は両方の側の面に壁仕上げ材を施工する工程と
を有することを特徴とする壁の施工方法。
【請求項９】
前記下側ランナーユニットを形成するに際して、前側のランナーピースの後端部に後ろ側のランナーピースの前端部を重ね合わせて連結するとともに、重ね合わされた二つのランナーピースの端部を床基礎に釘打ちすることで、二つのランナーピースの連結と床基礎への固定を行うことを特徴とする請求項７記載の壁の施工方法。
【発明の詳細な説明】
【技術分野】
【０００１】
本願の発明は、店舗や住宅等の建物における壁の構造とその施工技術に関するものである。
【背景技術】
【０００２】
各種店舗や住宅等の建物における内装工事に、壁面仕上げ工事がある。尚、本明細書において内装工事といった場合、新規に建物を建築する工事における内装工事の場合もあるし、既存の建物についての内装工事の場合もある。後者の場合の典型的な例は、業態や業種が変わった場合の店舗工事やオフィスでのレイアウト変更等に伴う工事、いわゆる住宅におけるリフォーム等である。
【０００３】
壁面仕上げ工事は、壁を構成する骨格部材（以下、壁躯体と称す）に対し、壁パネル等の仕上げ材を取り付けていくことで行われる。壁躯体は、建物全体の柱や梁等の主要な構造物でもあり、これらに対して仕上げ財を施工していく場合もあるが、壁用に特別の壁躯体を施工し、これに対して壁仕上げ材を施工していく場合も多い。後者の例として多いのが、既存の部屋を新たに間仕切るための壁を施工する場合や、既存の間仕切り壁を変更する場合である。
【０００４】
このような専用の壁躯体を用いる場合の壁の施工技術について、図７を使用して説明する。図７は、従来の壁躯体を用いた壁の施工について示した斜視概略図である。図７に示すように、壁を施工する場合、施工箇所に沿って壁躯体１をまず取り付けていく。壁躯体１は、この例では、上下一対のランナー（以下、上側ランナー、下側ランナー）１０１，１０２とスタッド１０３とから成る構造である。スタッド１０３は柱状の部材であり、図７に示すように断面がほぼコ状となっている。上側ランナー１０１は梁状であり、下側ランナー１０２はレール状である。これらランナー１０１，１０２は、やはり断面がほぼコ状である。
【０００５】
施工する場合、下側ランナー１０２を開口を上にした状態で床面に対して固定する。そして、スタッド１０３を下側ランナー１０２の開口に差し込みながら立てて下側ランナー１０２に固定する。スタッド１０３は、所定間隔をおいて複数取り付けられる。その後、図７に示すように、上側ランナー１０１を施工する。上側ランナー１０１は開口を下にした姿勢とされ、各スタッド１０３の上端を上側ランナー１０１に差し込み、上側ランナー１０１を各スタッド１０３に嵌め込む。上側ランナー１０１と各スタッド１０３はネジ止めによって固定される。
【０００６】
このようにして壁躯体１を施工した後、図７に示すように、壁仕上げ材１０４を施工する。壁仕上げ材１０４の施工は、各種のタイプがあるが、例えば、下地パネルを壁躯体１に対して固定し、その後、吹き付け工事や壁紙の貼り付け等を行って壁仕上げとする。図７では、壁仕上げ材１０４は、壁躯体１の一方の側の面にのみ描かれているが、実際には、壁仕上げ材１０４が壁躯体１の両方の側の面に対して施工される。但し、何からの事情で一方の側の面にのみ施工されることもある。
【先行技術文献】
【特許文献】
【０００７】
【特許文献１】特開２００７−２５５０４３号公報
【発明の概要】
【発明が解決しようとする課題】
【０００８】
上記のような壁の施工技術において、曲面に沿って壁を施工していくことが求められる場合がある。これは、店舗等の内装で意匠的な効果を高めるために意図的に壁面を曲面にしたりする場合に多くあるが、その他の何らかの事情で壁を曲面にしなければならない場合も当然あり得る。
上述した壁躯体を使用して曲面状の壁を施工する場合、上下のランナーを当然のことながら曲がったものにしなければならない。曲がったランナーは一般には市販されていないため、特注になる。施工する曲面の形状に沿って建具業者に特別に製造してもらうことになる。このため、非常にコストの高いものとなってしまう。
本願の発明は、上記課題を解決するために為されたものであり、曲面状の壁を施工する場合に、低コストで施工が行える壁の構造を提供する技術的意義を有する。
【課題を解決するための手段】
【０００９】
上記課題を解決するため、本願の請求項１記載の発明は、建物内において曲線である基準線に沿った曲面状の壁面を成す壁であって、壁躯体と、壁躯体に対して固定した壁仕上げ材とを有しており、
壁躯体は、上下一対のランナーユニットと、ランナーユニットの間に立てて設けた複数のスタッドとから成り、
各ランナーユニットは、多数のランナーピースを前記基準線に沿って連結して成るものであるという構成を有する。
また、上記課題を解決するため、請求項２記載の発明は、前記請求項１の構成において、前記各ランナーユニットは、前側のランナーピースの後端部に後ろ側のランナーピースの前端部を重ね合わせて連結したものであり、あるランナーピースは前後の両端部が上側に位置し、その後ろのランナーピースは前後の両端部が下側に位置しており、上下の位置が交互に入れ替わるようにして各ランナーピースが連結されているという構成を有する。
また、上記課題を解決するため、請求項３記載の発明は、前記請求項１又は２の構成において、前記下側のランナーユニットは、前側のランナーピースの後端部に後ろ側のランナーピースの前端部を重ね合わせて連結したものであり、重ね合わされた二つのランナーピースの固定と、それら二つのランナーピースの床基礎への固定が一つの釘打ちによって行われているという構成を有する。
また、上記課題を解決するため、請求項４記載の発明は、前記請求項１乃至３いずれかの構成において、前記ランナーピースは、前記スタッドを係止させる係止部を有するという構成を有する。
また、上記課題を解決するため、請求項５記載の発明は、前記請求項４の構成において、前記スタッドは、前記係止部において係止されることで前後左右に動かなくなる大きさ及び形状であるという構成を有する。
また、上記課題を解決するため、請求項６記載の発明は、前記請求項１乃至５いずれかの構成において、前記各ランナーユニットのランナーピースは、前記スタッドの端部からはみ出ない大きさ及び形状であるという構成を有する。
また、上記課題を解決するため、請求項７記載の発明は、前記請求項１乃至５いずれかの構成において、前記下側のランナーユニットのランナーピースは、前記スタッドの下端部が上に載るとともに前記スタッドの下端部からはみ出ない大きさ及び形状であるという構成を有する。
また、上記課題を解決するため、請求項８記載の発明は、建物内において曲線である基準線に沿った曲面状の壁面を成す壁の施工方法であって、
基準線に沿って多数のランナーピースを並べて連結することで下側ランナーユニットを形成する工程と、
下側ランナーユニットを床基礎に固定する工程と、
下側ランナーユニットに複数のスタッドを間隔をおいて立てる工程と、
基準線に沿って多数のランナーピースを並べて連結することで上側ランナーユニットを形成する工程と、
上側ランナーユニットを各スタッドの上端に載せて壁躯体を形成すると、
形成された壁躯体の一方又は両方の側の面に壁仕上げ材を施工する工程と
を有する。
また、上記課題を解決するため、請求項９記載の発明は、前記請求項８の構成において、前記下側ランナーユニットを形成するに際して、前側のランナーピースの後端部に後ろ側のランナーピースの前端部を重ね合わせて連結するとともに、重ね合わされた二つのランナーピースの端部を床基礎に釘打ちすることで、二つのランナーピースの連結と床基礎への固定を行うという構成を有する。
【発明の効果】
【００１０】
以下に説明する通り、本願の請求項１又は８記載の発明によれば、ランナーピースをつなげることでランナーユニットを形成するので、基本的に任意の曲がり方のランナーユニットを自在に作ることができる。この際、基準線に沿ってランナーピースを並べて連結すれば良いので、基準線に沿った精度の良いランナーユニットを作ることができ、従って基準線に沿って壁を精度良く施工することができる。そして、従来のようにランナーを特注することが不要であり、共通した部品としてのランナーピースとスタッドとを用意すれば良いので、極めて低コストで施工が行える。
また、請求項２記載の発明によれば、上記効果に加え、各ランナーユニットが前側のランナーピースの後端部に後ろ側のランナーピースの前端部を重ね合わせて連結したものであり、各ランナーピースは上下の位置が交互に入れ替わるようにして連結されているので、各ランナーピースが斜めになってしまうことがない。このため、壁躯体全体としてバランスが良く、強度的にも優れたものとなる。
また、請求項３又は９記載の発明によれば、上記効果に加え、下側のランナーユニットにおいて、二つのランナーピースの固定と、それら二つのランナーピースの床基礎への固定が一つの釘打ちによって行われているので、施工の手間が省けており、施工コストが安くなる。
また、請求項４記載の発明によれば、上記効果に加え、ランナーピースがスタッドを係止させる係止部を有するので、別途係止具を取り付けることが不要であり、施工の手間が省けて施工コストが安くなり、また資材コストも安くなる。
また、請求項５記載の発明によれば、上記効果に加え、スタッドが係止部において係止されることで前後左右に動かなくなる大きさ及び形状であるので、係止部に係止するだけでスタッドの固定が行え、この点において施工の手間が省けて施工コストが安くなり、また固定具が不要なので資材コストも安くなる。
また、請求項６記載の発明によれば、上記効果に加え、各ランナーユニットのランナーピースが、スタッドの端部からはみ出ない大きさ及び形状であるので、壁仕上げ材が上下の端部で盛り上がらず、このため取付精度が良好で見栄えも良くなる。
また、請求項７記載の発明によれば、上記効果に加え、下側のランナーユニットのランナーピースが、スタッドが上に載るとともにスタッドからはみ出ない大きさ及び形状であるので、スタッドの支持が十分に行なわれているとともに壁仕上げ材が下端部で盛り上がらず、このため取付精度が良好で見栄えも良くなる。
【図面の簡単な説明】
【００１１】
【図１】参考例の壁の斜視概略図である。
【図２】図１に示す壁躯体のランナーの形状について示した概略図である。
【図３】本願発明の実施形態に係る壁の主要部の斜視概略図であり、壁を構成する壁躯体を概略的に示している。
【図４】図３に示すランナーピースの斜視図である。
【図５】図４に示すランナーピースを使用して形成された下側ランナーユニットの平面概略図である。
【図６】実施形態におけるスタッドの形状及びランナーピースの取付構造について示した斜視概略図である。
【図７】従来の壁躯体を用いた壁の施工について示した斜視概略図である。
【発明を実施するための形態】
【００１２】
次に、本願発明を実施するための形態（以下、実施形態）について説明する。
実施形態の壁の構造を説明する前に、参考例の構造を説明する。図１は、参考例の壁の斜視概略図である。図１に示す壁は、建物内において曲線に沿って施工されることで曲面状の壁面を成すものである。この壁は、壁躯体１と、壁躯体１に対して固定した壁仕上げ材２とを有している。図１では、壁躯体１の構造を解り易くするため、壁仕上げ材の図示は省略している。
図１に示すように、壁躯体１は、上下一対のランナー（以下、同様に上側ランナー、下側ランナー）１１，１２と、ランナー１１，１２の間に立てて設けた複数のスタッド１３とから成っている。一対のランナー１１，１２は、断面がほぼコ状で、細長いレール状である。
【００１３】
図２は、図１に示す壁躯体１のランナー１１，１２の形状について示した概略図である。図２に示すように、本実施形態では、各ランナー１１，１２には、長さ方向に沿って間隔をおいて多数の切り込み１０が形成されている。各切り込み１０は、ランナー１１，１２の一方の側縁から幅方向に形成されている。そして、各ランナー１１，１２は、この切り込み１０を利用して曲げられた形状を有している。
ランナー１１，１２は、スチール又はアルミ等で形成されており、厚さが０．８〜１．２ｍｍ程度の板材を折り曲げて断面ほぼコ状に成形されたものである。したがって、図２に示すように切り込み１０を入れると、ある程度曲げる（即ち、塑性変形する）ことができる。切り込み１０の長さは、ランナー１１，１２の幅の５０〜７０％程度で、例えばランナー１１，１２の幅が５０ｍｍの場合、２５〜３５ｍｍ程度となる。
【００１４】
上記のようにランナー１１，１２は作業者が施工現場において曲げるが、ンナー１１，１２の曲げ方については二つの方法がある。一つは、図２（２）に示すように、切り込み１０が形成された側の縁を突出させるようにして曲げる方法である。もう一つは、図２（３）に示すように、切り込み１０が形成された側とは反対側の縁を突出させるようにして曲げる方法である。図２（２）に示す方法の方がより大きく曲げる（即ち、より小さな曲率で曲げる）ことができる。しかし、図２（３）に示す方法の方が、曲げた後のランナー１１，１２の強度は強い。
【００１５】
このような構造の壁を施工する場合、直線状のランナーに予め切り込み１０を入れたものを用意しておく。切り込み加工は、加工工具のある工場で予め行っておく場合が多いが、施工現場にカッターが用意されている場合、施工現場で作業者がカッターで切り込みを入れる場合もある。
そして、まず最初に、下側ランナー１２の施工を行う。図２（２）（３）に示すように、いずれかの側を突出させて下側ランナー１２を曲げる。この作業は、作業者が手で行うが、ランナー１１の一端を万力のような固定具で固定しながら曲げを行う場合もある。
【００１６】
このような曲げ加工は、曲面状の壁を施工する際の基準線に沿って行われる。基準線は、形成しようとして壁面の水平方向の線（曲線）であり、通常は、床部分の上に予め描かれた墨出し線である。墨だし線は、多くの場合、ベタコンクリート（ベタ基礎）の表面に描かれている。
作業者は、予め描かれている基準線に沿って下側ランナー１２を曲げ、基準線に沿って下側ランナー１２を床基礎に固定する。固定は、鉄砲と俗称される高圧エア釘打ち機によって行われることが多い。釘打ちは、下側ランナー１２の肉厚部を貫通させて行うことが多いが、板厚が厚いものの場合、釘打ち用の開口が形成されており、そこを通して釘打ちを行うこともある。
【００１７】
このようにして下側ランナー１２を曲げて床基礎に固定した後、図１に示すようにスタッド１３を立てて固定する。スタッド１３は、ランナー１１の幅に適合した幅を有しており、下端を下側ランナー１２に嵌め込むようにして下側ランナー１２の上に立てる。その後、上側ランナー１１の施工を行う。上側ランナー１１も、下側ランナー１２と同様に、直線状のものに切り欠きを入れ、基準線に沿って同じように曲げ加工をしておく。そして、各スタッド１３の上端を差し込むようにして上側ランナー１１を各スタッド１３の上に載せ、各スタッド１３と上側ランナー１１とのネジ止めによって固定する。
これで壁躯体１の施工は完了である。尚、下側ランナー１２と上側ランナー１１との間に、補強用のランナー（以下、中間ランナー）を設ける場合もある。中間ランナーも、上下のランナーと同様に切り欠き形成と曲げ加工が行われる。各スタッド１３には、中間ランナーを通すための開口が形成されており、この開口を通して中間ランナーをスタッド１３に支持させ、この状態で中間ランナーを各スタッド１３にネジ止め固定する。
【００１８】
このようにして壁躯体１の施工が完了した後、壁仕上げ材の施工を行う。壁仕上げ材は、特に限定されるものではなく、各種のものから選んで施工できる。但し、パネル状の壁仕上げ材の場合、壁躯体１に沿って曲げることができるものであることが必要である。例えば、木製の下地パネルを使用し、ある程度加熱及び加湿することで下地パネルを曲げる。曲げの具合は、壁躯体１の場合と同様に基準線に沿ったものとする。曲げた下地パネルを壁躯体１に固定する。固定の方法は、ネジ止め又は接着等である。そして、下地パネルの上に、壁紙を貼り付けたり、吹き付け塗装やモルタル塗装をしたり、もしくは更に仕上げ用の表面パネルを折り曲げて貼り付けることで壁の仕上げが行われる。尚、下地パネルや表面パネルは、樹脂製などであって可撓性がある場合、使用することができる。
【００１９】
上述した参考例の壁及びその施工方法によれば、ランナー１１，１２に切り欠き１０を設けて曲げることで曲線に沿った形状の壁躯体１を得るので、ランナー１１，１２を特注仕様にて発注することが不要であり、コストの安い壁を得ることができる。
しかしながら、上記参考例の構造には、以下のような問題がある。
【００２０】
まず、上記のような構造及び施工方法では、ランナー１１，１２に切り欠き１０を設けて曲げるものであるので、曲げの曲率に限界があり、曲率の小さな壁を施工するのは困難である。また、力を加えながら曲げるので、基準線に沿って精度の良い曲げを行うことはできず、基準線に沿った精度の良い壁の施工が出来ない問題がある。
また、図２（２）に示すように、切り込み１０を入れた側を突出させてランナー１１，１２を曲げると、上下のランナー１１，１２に対するスタッド１３の嵌め込みが緩くなりスタッド１３が外れ易くなる。
さらに、図１から解るように、壁仕上げ材を施工する面において、上下のランナー１１，１２がスタッド１３より手前側に突出しているため、下地パネル等のような部材を固定した際、上下でパネルが盛り上がった状態となってしまう。このため、取付精度や見栄えの点で好適とは言えない。
【００２１】
次に、このような問題を解消した本願発明の実施形態の壁の構造とその施工方法について説明する。
図３は、本願発明の実施形態に係る壁の主要部の斜視概略図であり、壁を構成する壁躯体を概略的に示している。図３に示す壁躯体は、上下一対のランナーユニット（以下、上側ランナーユニット、下側ランナーユニット）３，４と、ランナーユニット３，４の間に立てて設けた複数のスタッド５とから成っている。そして、各ランナーユニット３，４は、多数のランナーピース６を連結したものとなっている。同様に、壁仕上げ材の図示は省略されている。
【００２２】
図４は、図３に示すランナーピース６の斜視図である。ランナーピース６は、図４に示すように、小さなプレート状の部材であり、スチール製又はアルミ製の板を切断、打ち抜き、折り曲げ加工することで製作される。ランナーピース６は、全体としては、八角形の板状であり、一方向に若干長いものとなっている。以下、この方向を長尺方向と呼び、この方向に垂直な方向を短尺方向と呼ぶ。また、説明の都合上、長尺方向の一方の側を前側とし、その反対側を後ろ側とする。また、短尺方向の一方の側を左側とし、その反対側を右側とする。
【００２３】
図３に示すように、ランナーピース６は、前側と後ろ側に短尺方向に延びる縁（以下、前縁、後縁）６１，６２を有しており、中央部分に長尺方向に長い左右の縁（以下、側縁）６３，６４を有している。そして、これらをつなぐ四つの斜めの方向の縁（以下、斜縁）を有している。
そして、前縁６１と前側の一対の斜縁６１１，６１２とが交差した角部分（以下、前側角部）には、前側係止部６５，６６が形成されている。前側係止部６５，６６は左右一対のものであり、図３に示すように、前側角部において切り込みを設けて折り曲げて形成したものである。前側係止部６５，６６は、垂直に真上に延びるよう折り曲げて形成されたものである。
【００２４】
また、ランナーピース６上のやや後ろ側の位置には、別の係止部（以下、後ろ側係止部）６７が形成されている。後ろ側係止部６７も、切り込みを設けて折り曲げ加工することで形成されたものである。後ろ側係止部６７は、短尺方向に長いものであり、長尺方向での断面はＬ字状の形状である。図３に示すように、後ろ側係止部６７は、水平な姿勢の部位の先端が、左右両側の部分６７１において少し突出している（以下、この部分を突出部という）。
また、後ろ側係止部６７の垂直な部位の下端には、図３に示すように、リブ部６７２が複数形成されている。リブ部６７２は、後ろ側係止部６７を折り曲げ加工によって形成した後、裏側からハンマー等で叩くことで形成できる。尚、後ろ側先端部６７は、短尺方向ではランナーピース６の中央に位置している。
また、ランナーピース６の前端部と後端部には、それぞれ固定用開口６８１，６８２が形成されている。固定用開口６８１，６８２は、短尺方向ではランナーピース６の中央に位置している。
【００２５】
次に、このようなランナーピース６を使用してランナーユニット３，４を形成する方法について説明する。一例として、下側ランナーユニット４を形成する場合を説明する。図５は、図４に示すランナーピース６を使用して形成された下側ランナーユニット４の平面概略図である。
下側ランナーユニット４は、上述したランナーピース６を多数つなげることで形成される。即ち、図５に示すように、一つのランナーピース６の後ろ側の固定用開口６８２と別のランナーピース６の前側の固定用開口６８１とが重なるようにし、二つの固定用開口６８２，６８１を通して固定ピン等を通すことで固定する。そして後ろ側のランナーピース６の後ろ側の固定用開口６８２に別のランナーピース６の前側の固定用開口６８１を重ね合わせ、同様に固定ピン等で固定する。このような動作を繰り返して次々にランナーピース６をつなげていく。
【００２６】
このように多数のランナーピース６をつなげる際、各ランナーピース６は、上、下、上、下……、と交互に上下位置を入れ替えるようにする。図５に示す例では、６ａ，６ｃ，６ｅ，６ｇが下位置であり、６ｂ，６ｄ，６ｆが上位置となっている。後ろ側のランナーピース６の前端部を前側のランナーピース６の後端部の上側（又は下側）になるようにしてすべてのランナーピース６をつなげても良いが、このようにすると、個々のランナーピース６が傾いた姿勢となってしまい、スタッド５も傾いてしまう。このため、全体のバランスが悪く、強度的にも問題が生ずる。
【００２７】
次に、本実施形態におけるスタッド５の形状及びランナーピース６への取付構造について説明する。図６は、実施形態におけるスタッド５の形状及びランナーピース６の取付構造について示した斜視概略図である。図６では、一例として、下側ランナーユニット４を形成するランナーピース６へのスタッド５の取付構造が示されている。
図６に示すように、実施形態におけるスタッド５も柱状の部材であり水平断面がほぼコ状の形状を有している。スタッド５は、ほぼコ状の水平断面形状において、開口部の縁から内側に延びる部位５１を有している。以下、この部位を内側突出部５１と呼ぶ。
【００２８】
図６に示すように、スタッド５の水平断面形状が占める方形の形状及び大きさは、ランナーピース６の両側縁６３，６４で形成される方形の形状及び大きさと一致している。スタッド５を取り付ける場合、スタッド５の下端の左右の縁をランナーピース６の両側縁５３，６４に合わせるようにしてスタッド５をランナーピース６の上に置く。図６に示すように、ランナーピース６の突出部６７１がスタッド５の内側突出部５１に引っ掛かった状態となり、スタッド５がランナーピース６に係合した状態となる。この際、スタッド５の下端の前側部分は、ランナーピース６の前側係止部６５，６６で係止された状態となる。このような係止や係合により、スタッド５はランナーピース６に固定され、前後左右に動かない状態となる。
【００２９】
次に、上記のような壁躯体１を使用した本実施形態の壁の施工方法について説明する。
図３に示すように、施工箇所の床基礎には基準線７が予め描かれている。壁を施工する場合、必要な数のランナーピース６とスタッド５を施工箇所に持ち込む。そしてまず、上側ランナーユニット３を予め組み立てておく。即ち、前述したように多数のランナーピース６を相互に連結し、上側ランナーユニット３を形成する。この際、各ランナーピース６を基準線７に沿って並べて相互に固定する。従って、出来上がった上側ランナーユニット３は、基準線７に沿って湾曲したものとなる。
【００３０】
次に、出来上がった上側ランナーユニット３を脇に置き、下側ランナーユニット４を施工する。即ち、同様に基準線７に沿ってランナーピース６を並べて連結する。したがって、出来上がった下側ランナーユニット４は、基準線７に沿って湾曲したものとなる。図３では、基準線７と各ランナーピース６とは少し離れているが、各ランナーピースの一方の側縁が基準線７に接した状態にすることで施工精度を高める場合がある。
ランナーピース６を連結して下側ランナーユニット４を形成する際、各ランナーピース６の連結と、床基礎への下側ランナーユニット４の固定が、同時に行われる。即ち、前述したように前側のランナーピース６の後端部と後ろ側のランナーピース６の前端部とを重ね合わせた後、二つの固定用開口６８２，６８１を通して高圧エア釘打ち機で釘打ちすることで、二つのランナーピース６を連結するとともに二つのランナーピース６を床基礎に固定する。この動作を繰り返すことで、所定の長さを有し基準線７に沿って湾曲した下側ランナーユニット４が形成され且つ床基礎に固定される。
【００３１】
次に、下側ランナーユニット４の各ランナーピース６にスタッド５を前述したように取り付ける。スタッド５はすべてのランナーピース６に取り付ける必要はなく、一つおき、二つおき、三つおき……ように、幾つかのランナーピースおきにスタッド５を取り付ける（間引いて取り付ける）ようにする。勿論、すべてのランナーピース６にスタッド５を取り付けて強度を高めても良い。
そして、予め組み立てておいた上側ランナーユニット３を各スタッド５の上端部に被せるようにして載せる。これで、壁躯体１の施工は完了である。尚、スタッド５とスタッド５との間に補強用の梁部材を取り付けるようにする場合もある。また、スタッド５自体の強度を高めるため、開口部を橋渡すようにして板状部材を固定する場合もある。
また、より強度を高めるため、各ランナーピース６とスタッドとを個別にネジ止め等によって固定する場合もある。例えば、前側係止部６５，６６を短尺方向に沿ったものとし、前側係止部６５，６６とスタッド５の下端の前部とをネジ止め等によって固定するようにしても良い。
【００３２】
尚、前述したように、各ランナーピース６をつなげていく際、上、下、上、下……と交互に位置を入れ替えるが、この順序は、下側ランナーユニット４と上側ランナーユニット３とで同じにしておくことが望ましい。即ち、例えば、下側ランナーユニット４では、一番先頭のランナーピース６が上側で、次のランナーピース６が下側、次が上側、……というようにつなげていった場合、上側ランナーユニット３でも、一番先頭のランナーピース６が上側で、次のランナーピース６が下側、次が上側、……というようにつなげていく。このようにすると、上下のランナーピース６の間に取り付けられるスタッド５は、全て同じ長さのもので済む。もし、上下の順序が逆である場合、長さの異なる二種類のスタッド５を用意しなければならないという煩雑さが生じる。
【００３３】
但し、本実施形態では、図１に示すように、ランナーピース一つおきにスタッドを取り付けている。このため、水平方向のある位置では、上側ランナーユニット３のランナーピース６は上側位置で下側ランナーユニット４のランナーピース６は下側位置となっており、その隣りの位置では、上側ランナーユニット３のランナーピース６は下側、下側ランナーユニット４のランナーピース６は上側となっており、この順序を繰り返している。このような構造であっても、同じ長さのスタッド５を用いることができる。一つおき、三つおきのようにランナーピース奇数個おきにスタッド５を取り付ければ良い。
【００３４】
このようにして壁躯体１の施工が完了した後、壁仕上げ材の施工を行う。壁仕上げ材の施工は、前述した参考例の場合と同様で良く、下地パネルの上に壁仕上げパネルを固定したり、壁紙を貼り付けたりすることで壁の施工が完了する。尚、前述したように、壁仕上げ材は、壁躯体１の両方の側の面に対して施工されるが、一方の側の面に対して施工されることもある。後者の例としては、例えば曲面状の壁が既存の壁基礎に追加するようにして施工される場合や、背後の空間エリアにおいて何らかの事情で壁仕上げが不要な場合が挙げられる。
尚、上記施工方法において、予め上側ランナーユニット３を組み立てるのは、下側ランナーユニット４の組み立てと床基礎への固定により、基準線７が隠れてしまう場合があることを考慮したものである。したがって、このような点の考慮が不要であれば、上側、下側のどちらのランナーユニットから組み立てても良い。
【００３５】
上述した本実施形態の壁は、以下のような長所がある。
まず、ランナーピース６をつなげることでランナーユニット３，４を形成するので、基本的に任意の曲がり方のランナーユニット３，４を自在に作ることができる。この際、基準線７に沿ってランナーピース６を並べて連結すれば良いので、基準線７に沿った精度の良いランナーユニットを作ることができ、従って基準線７に沿って壁を精度良く施工することができる。そして、従来のようにランナーを特注することが不要であり、共通した部品としてのランナーピース６とスタッド５とを用意すれば良いので、極めて低コストで施工が行える。
【００３６】
尚、上記実施形態では、一方の側に突出した単純な曲面の壁であったが、波打つように曲がる壁、楕円のような非円弧状の曲面の壁等、自在の曲面形状を自由に作ることができる。これも、ランナーピース６をつなげることでランナーユニット３，４を形成しているためである。
また、ランナーピース６がスタッド５の上端や下端においてはみ出ることが無いので、壁仕上げ材が上端や下端において盛り上がってしまうことがなく、見栄えの良い仕上げができる。
【００３７】
特に本実施形態では、ランナーピース６の左右の縁６３，６４と、スタッド５の下端の左右の縁が一致した状態で施工されるので、スタッド５がランナーピース６の上に載った状態で且つランナーピース６がはみ出てしまうことが無い。このため、スタッド５の保持強度も良好なものとなる。ランナーピース６の左右の幅がスタッド５の下端の左右の幅より狭いものであっても、上記見栄えの良い仕上げという効果は得られるが、スタッド５の下端の左右の縁がランナーピース６上にしっかりと載らないので、強度の面で劣る。尚、上側ランナーユニット３のランナーピース６は、スタッド５を支持してはいないので、スタッド５の幅よりも狭い形状であっても良い。
さらに、本実施形態では、ランナーピース６自体は曲げ加工されて変形するものではないので、各係止部６５，６６、６７の形状は元のままであり、確実にスタッド５を係止することができる。このため、参考例のようにスタッド５が外れ易くなってしまうというような問題はない。
【００３８】
上記実施形態では、前後のランナーピース６の端部を重ね合わせながら連結したが、これは連結構造の一例であって、他の連結構造も適宜採用し得る。例えば、一方のランナーピースの端部に孔が形成されており、他方のランナーピースの端部にこの孔に引っ掛けるフックような部位が形成されている構造であっても良い。また、二つのランナーピースの端部から水平方向に突出するようにして互いに嵌め合わされる突起部が形成されており、突起部を嵌め合わせることがで連結する構造なども採用し得る。各ランナーピースを面一（同一水平面上）で連結できるようにしておくと、前述したように上下の順序を気にしなくて良いので好適である。
【００３９】
尚、スタッド５は、ランナーピース６の各係止部６５，６６，６７に係止されることで前後左右に動かなくなる形状及び大きさを有していたが、スタッド５をネジ止め等によってランナーピース６に固定しても良いことは勿論である。
また、上記実施形態では、ランナーピース６は基本的に一種類のみであったが、スタッドの取付用とそうでないものとで、二種類のランナーピースを用意しても良い。一つは、前述したように係止部６５，６６，６７が形成されているものであり、もう一つは係止部の無い単純なプレート状のものとする。単純なプレート状のものは、製作コストが安くなるので、この点で資材コストは安くなる。
本願発明の壁の施工対象としては、前述したような店舗、オフィス、住宅等の他、任意のものを採用し得る。例えば、大きな会場での展示会における展示ブース等において、本願発明の曲面状の壁を施工することができる。
【産業上の利用可能性】
【００４０】
上述したように、本願発明の壁及びその施工方法によれば、ランナーピースをつなげることでランナーユニットを形成して壁躯体を構成するので、任意の形状の曲面を持つ壁を容易に施工することができ、その産業上の利用可能性は極めて高い。
【符号の説明】
【００４１】
３  上側ランナーユニット
４  下側ランナーユニット
５  スタッド
５１  内側突出部
６  ランナーピース
６５  前側係止部
６６  前側係止部
６７  後ろ側係止部
６７１  突出部
【図１】
2011032699.tif 000003
【図２】
2011032699.tif 000004
【図３】
2011032699.tif 000005
【図４】
2011032699.tif 000006
【図５】
2011032699.tif 000007
【図６】
2011032699.tif 000008
【図７】
2011032699.tif 000009